(57)【要約】【課題】省エネルギー化を図りつつ、内部空間の湿気を減少させることのできる倉庫を提供する。【解決手段】倉庫（１）の内部空間（３）には、複数の保管物（９１）が収容される。倉庫（１）は、内部空間（３）の空気を換気するための換気扇（４１）と、内部空間（３）の上方位置に配置され、保管物（９１）間の隙間（９０）に空気流を送り込むエアサーキュレータ（５）とを備える。このエアサーキュレータ（５）は、内部空間（３）の相対湿度に応じて駆動されることが望ましい。【選択図】図１
2019049400.tif 000002
【特許請求の範囲】
【請求項１】
複数の保管物が収容される内部空間を有する倉庫であって、
前記内部空間の空気を換気するための換気扇と、
前記内部空間の上方位置に配置され、前記保管物間の隙間に空気流を送り込むエアサーキュレータとを備える、倉庫。
【請求項２】
前記内部空間の湿度を検知するための第１の湿度センサと、
前記内部空間の相対湿度が所定値以上である場合に、前記エアサーキュレータを駆動する制御装置とをさらに備える、請求項１に記載の倉庫。
【請求項３】
屋外空間の湿度を検知するための第２の湿度センサをさらに備え、
前記制御装置は、前記屋外空間の絶対湿度が前記内部空間の絶対湿度以下の場合に、前記換気扇を駆動する、請求項２に記載の倉庫。
【請求項４】
前記内部空間は、平面視において複数の領域に区画されており、
前記エアサーキュレータは、前記領域ごとに設けられる、請求項１〜３のいずれかに記載の倉庫。
【請求項５】
前記内部空間は、平面視において複数の領域に区画されており、
前記エアサーキュレータおよび前記第１の湿度センサは、前記領域ごとに設けられる、請求項２または３に記載の倉庫。
【請求項６】
土間床をさらに備え、
前記エアサーキュレータは、前記土間床に向かって送風する、請求項１〜５のいずれかに記載の倉庫。
【発明の詳細な説明】
【技術分野】
【０００１】
本発明は、倉庫に関し、特に、常温で複数の物品を保管する倉庫に関する。
【背景技術】
【０００２】
物流倉庫などの倉庫には一般的に冷暖房設備がなく、複数の物品が常温で保管される。このような常温倉庫の多くは、内部空間（屋内空間）の空気を換気するための換気扇を備えているものの、除湿器等は備えていない。
【０００３】
除湿という観点においては、特開２０１１−１４９６０４号公報（特許文献１）に記載のように、低温低湿度の空気が供給される冷蔵倉庫の荷捌き場において、荷物搬出入口の開口高さよりも上部に、庫内出入扉に向かって斜め下方に荷捌き場内の空気を送る送風機を設置することで、冷蔵倉庫の荷捌き場内の結露を防止する技術が開示されている。
【先行技術文献】
【特許文献】
【０００４】
【特許文献１】特開２０１１−１４９６０４号公報
【発明の概要】
【発明が解決しようとする課題】
【０００５】
常温倉庫では一般的に、物品が段ボールに梱包されて保管される。つまり、倉庫の内部空間には、物品とそれを梱包する段ボールとによって構成される保管物が収容される。段ボールは湿気に弱いため、倉庫の内部空間の湿度が高くなり過ぎると、湿気により段ボールが劣化するおそれがある。
【０００６】
そこで、倉庫の内部に除湿器を設けることも考えられるが、熱容量の大きい倉庫内の湿度を除湿器によって低下させるためには膨大な電気エネルギーが必要となるため、望ましくない。
【０００７】
本発明は、上記のような課題を解決するためになされたものであって、その目的は、省エネルギー化を図りつつ、内部空間の湿気を減少させることのできる倉庫を提供することである。
【課題を解決するための手段】
【０００８】
この発明のある局面に従う倉庫は、複数の保管物が収容される内部空間を有する倉庫であって、内部空間の空気を換気するための換気扇と、内部空間の上方位置に配置され、保管物間の隙間に空気流を送り込むエアサーキュレータとを備える。
【０００９】
好ましくは、倉庫は、内部空間の湿度を検知するための第１の湿度センサと、内部空間の相対湿度が所定値以上である場合に、エアサーキュレータを駆動する制御装置とをさらに備える。
【００１０】
より好ましくは、倉庫は、屋外空間の湿度を検知するための第２の湿度センサをさらに備え、制御装置は、屋外空間の絶対湿度が内部空間の絶対湿度以下の場合に、換気扇を駆動する。
【００１１】
内部空間が、平面視において複数の領域に区画されている場合、エアサーキュレータは、領域ごとに設けられることが望ましい。
【００１２】
内部空間が、平面視において複数の領域に区画されている場合、エアサーキュレータおよび第１の湿度センサの双方が、領域ごとに設けられていることも望ましい。
【００１３】
倉庫は、土間床をさらに備えていてもよい。この場合、エアサーキュレータは、土間床に向かって送風することが望ましい。
【発明の効果】
【００１４】
本発明によれば、省エネルギー化を図りつつ、内部空間の湿気を減少させることができる。
【図面の簡単な説明】
【００１５】
【図１】本発明の実施の形態に係る倉庫の概略構成を示す縦断面図である。
【図２】本発明の実施の形態における制御装置が実行する処理を示すフローチャートである。
【図３】複数個のエアサーキュレータの配置例を模式的に示す平面図である。
【図４】冬期および春期における倉庫内の温度遷移パターンと屋外の温度遷移パターンとを比較して示すグラフである。
【発明を実施するための形態】
【００１６】
本発明の実施の形態について図面を参照しながら詳細に説明する。なお、図中同一または相当部分には同一符号を付してその説明は繰返さない。
【００１７】
（構成について）
はじめに、図１を参照して、本実施の形態に係る倉庫１の構成例について説明する。図１は、本実施の形態に係る倉庫１の概略構成を示す縦断面図である。
【００１８】
倉庫１は、土間床２１、外壁２２、および天井２３によって囲まれた内部空間３を有している。この内部空間３には、多数の保管物９１が常温で収容されている。本実施の形態では、保管物９１が土間床２１上に積み上げられており、多数の保管物９１が複数の群（組）に分けて管理されている。以下、内部空間３に配置されている保管物９１の群を「保管物群９」という。
【００１９】
平面視において隣り合う保管物群９間には、人が通れるように隙間９０が設けられている。隙間９０は、水平方向において隣り合う保管物９１間の隙間を表わす。また、保管物９１は土間床２１に直接載置されるのではなく、通気性を有するパレット（図示せず）を介して載置されるため、土間床２１と保管物９１との間にも隙間９２が設けられている。
【００２０】
なお、各保管物群９においても、保管物９１間に、パレット（図示せず）が適宜介在されている。そのため、高さ方向において隣り合う保管物９１間にも、適宜隙間（図示せず）が設けられる。パレットは、１段ごとに挿入されてもよいし、複数段ごとに挿入されてもよい。
【００２１】
倉庫１の外壁２２は、互いに対面する外壁部２２ａ，２２ｂを含む。外壁部２２ａには、内部空間３の空気を換気するための換気扇４１が設けられている。換気扇４１は、たとえば給気ファンである。外壁部２２ｂには、たとえばガラリなどの排気口４２が設けられる。そのため、換気扇４１の駆動によって内部空間３に外気が供給され、内部空間３の空気が排気口４２から屋外に排気される。換気扇４１と排気口４２とは、略同じ高さに設けられている。
【００２２】
なお、内部空間３の換気のための換気扇は、給気ファンに限定されず、排気ファンにより構成されてもよい。あるいは、給気ファンおよび排気ファンの双方を含んでもよい。
【００２３】
ここで、熱容量の大きい倉庫１の内部空間３は、（特に、外壁２２から遠い中央部分において）外気温の影響を受け難いため、図４に示すように、屋内すなわち内部空間３の温度は屋外の温度変化よりも遅れて変化する。そのため、春先の梅雨の時期は、内部空間３の温度が外気温よりも低くなる。この状態で、冷えた内部空間３の湿度が上昇すると、結露やカビが発生するおそれがある。
【００２４】
そこで、本実施の形態に係る倉庫１は、換気扇４１に加え、エアサーキュレータ５と、内部空間３の湿度を検知するための湿度センサ（第１の湿度センサ）６１と、屋外空間の湿度を検知するための湿度センサ（第２の湿度センサ）６２とを備えている。
【００２５】
エアサーキュレータ５は、直進性の高い風を発生する装置である。エアサーキュレータ５の駆動によって内部空間３の空気を循環させることができるため、内部空間３の湿気を減少させることができる。
【００２６】
エアサーキュレータ５は、典型的には天井２３に設けられる。そのため、保管物群９間の隙間９０に、上方から空気流を送り込むことができる。これにより、保管物群９間の隙間９０における空気の流動性を向上させることができるため、湿気が溜まりがちな隙間９０の湿度を効率良く低下させることができる。
【００２７】
また、土間床２１と保管物群９との間にも隙間９２が介在するため、上方から隙間９０に送り込まれた空気は、土間床２１上の隙間９２を通過して、他の隙間９０または通路３０にまで送り込まれる。また、高さ方向に隣り合う保管物９１間の隙間にも、空気が流れ込む。したがって、内部空間３の上方位置に配置されたエアサーキュレータ５の駆動によって、内部空間３において空気を適切に循環させることができる。なお、通路３０は、隙間９０よりも幅の大きい空間であり、フォークリフト等の機材が通過できる空間である。
【００２８】
外壁２２に設けられた換気扇４１による送風路と、エアサーキュレータ５による送風路とは、立体的に交差しないことが望ましい。具体的には、平面視におけるエアサーキュレータ５の位置が、外壁部２２ａに配置された給気部としての換気扇４１と、外壁部２２ｂに配置された排気部としての排気口４２とを結ぶ直線から離れていることが望ましい。これにより、内部空間３の換気と空気の循環とを適切に行うことができる。
【００２９】
湿度センサ６１は、内部空間３の相対湿度および絶対湿度を検知する。具体的には、湿度センサ６１は、たとえば、内部空間３の相対湿度、温度、および気圧を検知する検知部と、検知された相対湿度、温度、および気圧に基づいて、内部空間３の絶対湿度を算出する算出部とを含む。
【００３０】
湿度センサ６２は、屋外空間の絶対湿度を検知する。具体的には、湿度センサ６２は、たとえば、屋外空間の相対湿度、温度、および気圧を検知する検知部と、検知された相対湿度、温度、および気圧に基づいて、屋外空間の絶対湿度を算出する算出部とを含む。
【００３１】
換気扇４１、エアサーキュレータ５、および湿度センサ６１，６２は、制御装置７と電気的に接続されている。制御装置７は、湿度センサ６１，６２から得られる検知信号に基づいて、換気扇４１およびエアサーキュレータ５の駆動（ＯＮ／ＯＦＦ）を制御する。制御装置７は、メモリおよびプロセッサを含む一般的なコンピュータにより構成される。なお、湿度センサ６１，６２に含まれる算出部の機能、すなわち絶対湿度の算出機能は、このコンピュータによって実現されてもよい。
【００３２】
（除湿処理について）
次に、図２を参照して、倉庫１の内部空間３の除湿方法について説明する。図２は、本実施の形態における制御装置７が実行する処理を示すフローチャートである。
【００３３】
制御装置７は、湿度センサ６１からの信号に基づいて、屋内（内部空間３）の相対湿度ＲＨおよび絶対湿度Ｘｉを検出するとともに、湿度センサ６２からの信号に基づいて、屋外の絶対湿度Ｘｏを検出する（ステップＳ１）。
【００３４】
制御装置７は、屋内の相対湿度ＲＨが所定値（たとえば７０％）以上であり、かつ、屋外の絶対湿度Ｘｏが屋内の絶対湿度Ｘｉ以下であると判断した場合（ステップＳ２およびＳ３にてＹＥＳ）、エアサーキュレータ５および換気扇４１の双方を駆動する（ステップＳ５）。これにより、内部空間３の空気の循環および換気が行われる。
【００３５】
制御装置７は、屋内の相対湿度ＲＨが所定値以上であり、かつ、屋外の絶対湿度Ｘｏが屋内の絶対湿度Ｘｉよりも高いと判断した場合（ステップＳ２にてＹＥＳ、ステップＳ３にてＮＯ）、エアサーキュレータ５のみを駆動する（ステップＳ６）。これにより、内部空間３の換気は行われず、内部空間３の空気の循環のみが行われる。
【００３６】
制御装置７は、屋内の相対湿度ＲＨが所定値未満であり、かつ、屋外の絶対湿度Ｘｏが屋内の絶対湿度Ｘｉ以下であると判断した場合（ステップＳ２にてＮＯ、ステップＳ４にてＹＥＳ）、換気扇４１のみを駆動する（ステップＳ７）。これにより、内部空間３の空気の循環は行われず、換気だけが行われる。
【００３７】
制御装置７は、屋内の相対湿度ＲＨが所定値未満であり、かつ、屋外の絶対湿度Ｘｏが屋内の絶対湿度Ｘｉよりも高いと判断した場合（ステップＳ２およびステップＳ４にてＮＯ）、エアサーキュレータ５および換気扇４１の運転を停止する（ステップＳ８）。これにより、内部空間３の空気の循環および換気は行われない。
【００３８】
図２に示す処理は、たとえば所定時間（たとえば５分）ごとに繰り返し行われる。
【００３９】
以上説明したように、本実施の形態によれば、エアサーキュレータ５を用いて内部空間３の空気を循環させることにより、内部空間３の湿度上昇を抑えることができる。したがって、春先などに、倉庫１の内部空間３において結露やカビが発生することを防止することができる。
【００４０】
また、エアサーキュレータ５は、屋内の相対湿度ＲＨが所定値以上となった場合にのみ駆動されるため、消費電力を無駄に増大させることなく内部空間３内の湿度上昇を抑えることができる。
【００４１】
また、屋外の絶対湿度Ｘｏが屋内の絶対湿度Ｘｉよりも高い場合には、換気をＯＦＦにすることにより、屋外から内部空間３への湿気流入量を抑えることができる。したがって、内部空間３の湿度上昇を効果的に抑えることができる。
【００４２】
さらに、エアサーキュレータ５は上述のように、保管物群９間の隙間９０に空気流を送り込むため、隙間９０の湿度を効率良く低下させることができる。これにより、保管物９１の外装部としての段ボールの吸湿を抑制することができる。
【００４３】
ここで、段ボールは一般的に相対湿度が８０％以上の場合に劣化が生じるといわれている。本実施の形態では、エアサーキュレータ５のＯＮ／ＯＦＦの判断基準となる所定値が、劣化が生じ得る下限値よりも低い値（７０％）としている。したがって、本実施の形態によれば、段ボールの劣化を確実性高く防止することができる。また、保管物９１の外装部としての段ボールの劣化が防止できるため、複数の保管物９１が土間床２１の上等に積み上げられて保管されている場合であっても、保管物９１の荷崩れを防止することもできる。
【００４４】
なお、エアサーキュレータ５のＯＮ／ＯＦＦの判断基準となる所定値は、７０％以下であることが望ましいが、８０％以下であればよい。省エネルギー性を考慮すれば、所定値は、５０％以上であることも望ましい。
【００４５】
また、本実施の形態では、エアサーキュレータ５が天井２３に設けられているため、土間床２１に向かって空気が送風される。そのため、冬や春先など、内部空間３の温度が比較的低い時期には、土間床２１の表面が乾燥されることにより、その表面温度を０．５℃程度上昇させることができる。したがって、エアサーキュレータ５の駆動によって、土間床２１に結露が発生することを防止することも可能となる。
【００４６】
（エアサーキュレータの配置例）
エアサーキュレータ５によって、容積の大きい内部空間３の除湿を効果的に行うためには、エアサーキュレータ５は複数個設けられることが望ましい。
【００４７】
図３は、複数個のエアサーキュレータ５の配置例を模式的に示す平面図である。
【００４８】
倉庫１の内部空間３は、平面視において複数の領域３ａ〜３ｆに区画されている。各領域３ａ〜３ｆは、複数の保管物９１を収容可能な領域である。一例として、上記したような複数の保管物群９が、領域ごとに配置されている。
【００４９】
この場合、エアサーキュレータ５は、区画された領域３ａ〜３ｆごとに設けられていることが望ましい。これにより、各領域において、保管物群９間の隙間９０に空気流を送り込むことができるため、保管物９１（段ボール）をより効果的に乾燥させることができる。
【００５０】
内部空間３を構成するこれらの領域３ａ〜３ｆは、たとえば、１つ以上の柱２５により区画された略矩形形状の領域である。本実施の形態では、内部空間３は、柱２５が各矩形領域の角に配置されるように区画されている。なお、内部空間３は、隣り合う領域を物理的に仕切る仕切り壁（図示せず）、あるいは、ロープやコーンバー等の仕切り部材によって区画されていてもよいし、土間床２１上に視認可能に付された囲み線等によって区画されていてもよい。
【００５１】
ここで、通常は、領域３ａ〜３ｆの湿度は均一ではなく、外壁２２からの距離、方位、または、外壁２２に設けられた搬出入口２４からの距離などによって異なる。したがって、各領域３ａ〜３ｆの除湿をより適切に行うためには、領域ごとに湿度センサ６１が設けられていてもよい。この場合、領域ごとに相対湿度が判断できるため、相対湿度が高い領域に配置されたエアサーキュレータ５だけを駆動することができる。これにより、領域３ａ〜３ｆ間における湿度のバラツキを抑制することもできる。
【００５２】
あるいは、湿度センサ６１は、領域ごとでなく、複数の領域の境界位置に配置された柱２５ごとに設けてもよい。この場合、制御装置７は、各柱２５に隣接する領域に配置された複数のエアサーキュレータ５のＯＮ／ＯＦＦ制御を同時に行うことができる。これにより、湿度センサ６１の個数を抑えつつ、領域３ａ〜３ｆ間における湿度のバラツキを抑制することができる。
【００５３】
（変形例）
エアサーキュレータ５は、水平方向または高さ方向において隣り合う複数の保管物９１間の隙間に空気流を送り込むことができるように配置されていればよい。すなわち、エアサーキュレータ５の配置位置および向き（送風方向）は、保管物９１間の隙間に、直接的または間接的に、空気流を送り込むことができれば、特に限定されない。そのため、換気扇４１とエアサーキュレータ５とを含む除湿構造を、たとえば、内部空間３に設置された棚に整然と保管物９１が収容されるような、他種の収容形態を採用する倉庫にも適用することができる。
【００５４】
具体的には、上記実施の形態では、エアサーキュレータ５が天井２３に設置されることとしたが、内部空間３の上方位置であれば天井２３以外の場所、たとえば外壁２２または柱２５に設置されてもよい。なお、「上方位置」とは、高さ方向の中央位置よりも上方の位置を表わす。
【００５５】
また、エアサーキュレータ５は、下向きに設置され、下方に向かって空気流を発生することとしたが、保管物９１間の隙間に空気流を送り込むことができれば、下向きでなくてもよい。たとえば、エアサーキュレータ５が横向きに設置され、水平方向に沿う空気流を発生してもよい。あるいは、エアサーキュレータ５は、いわゆる首振りタイプのものであってもよく、送風方向が周期的に変更されてもよい。
【００５６】
また、本実施の形態では、屋内外の絶対湿度の比較によって換気扇４１のＯＮ／ＯＦＦを行うこととしたが、一般的な倉庫のように換気扇４１は常時駆動されてもよい。この場合、屋外の湿度センサ６２は不要である。
【００５７】
同様に、エアサーキュレータ５も、常時駆動されてもよい。この場合、屋内の湿度センサ６１も不要である。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００５９】
１  倉庫、３  内部空間、３ａ〜３ｆ  領域、５  エアサーキュレータ、７  制御装置、９  保管物群、２１  土間床、２２  外壁、２３  天井、２４  搬出入口、２５  柱、３０  通路、４１  換気扇、４２  排気口、６１，６２  湿度センサ、９０，９２  隙間、９１  保管物。
【図１】
2019049400.tif 000003
【図２】
2019049400.tif 000004
【図３】
2019049400.tif 000005
【図４】
2019049400.tif 000006